【手続補正書】
【提出日】令和3年7月13日(2021.7.13)
【手続補正１】
【補正対象書類名】特許請求の範囲
【補正対象項目名】全文
【補正方法】変更
【補正の内容】
【特許請求の範囲】
【請求項１】
指向性噴流衝撃ピッグ発射システムであって、前記指向性噴流衝撃ピッグ発射システムは、ピッグ・トラップ流体インゼクタ組立体を含み、前記ピッグ・トラップ流体インゼクタ組立体は、
入口端部、出口端部、及び、水平線に対して斜角αで前記入口端部と前記出口端部との間に配置された少なくとも１つの屈曲部を含む、長手方向に延在する管と、
前記入口端部に配置された平坦な輪郭のフランジであって、前記平坦な輪郭のフランジは、前記平坦な輪郭のフランジを貫通する漏れ経路、及び、複数のボルト穴を含む、平坦な輪郭のフランジと、
前記出口端部に配置された湾曲した輪郭のフランジであって、前記湾曲した輪郭のフランジは、前記湾曲した輪郭のフランジを貫通する漏れ経路、及び、開口部を含む、湾曲した輪郭のフランジと、
前記長手方向に延在する管に接続されているノズルであって、前記ノズルは、少なくとも部分的に前記開口部内に配置されている、ノズルと、
前記入口端部と前記出口端部との間で前記長手方向に延在する管を取り囲むキッカ管路であって、前記キッカ管路は、前記長手方向に延在する管の周りに環状スペースを形成しており、前記環状スペースは、前記平坦な輪郭のフランジ及び前記湾曲した輪郭のフランジの漏れ経路と連通している、キッカ管路と、
を備え、
前記ピッグ・トラップ流体インゼクタ組立体がピッグ・トラップの側壁開口部内に設置されるときに、前記ノズルが、流体の噴流を下流方向に送達するように配向され、
前記流体の噴流は、主パイプライン流速を上回る速度になっており、典型的なキッカ管路運転の場合のようにパイプライン製品が前記発射機の後部に流入するときに生成される力よりも著しく大きな集中した力を作り出す、指向性噴流衝撃ピッグ発射システム。
【請求項２】
前記ノズルを収容し且つハウジングと前記ノズルの外側表面との間に環状空間を形成するハウジングをさらに備える、請求項１に記載の指向性噴流衝撃ピッグ発射システム。
【請求項３】
前記ハウジングが、一方の端部に絞り板を含む、請求項２に記載の指向性噴流衝撃ピッグ発射システム。
【請求項４】
前記絞り板が、前記絞り板を貫通する流体漏れ経路を提供するための少なくとも１つのポートを含む、請求項３に記載の指向性噴流衝撃ピッグ発射システム。
【請求項５】
前記湾曲した輪郭のフランジが、前記ピッグ・トラップの側壁の曲率に相補的に構成される、請求項１に記載の指向性噴流衝撃ピッグ発射システム。
【請求項６】
弁を含む前記ノズルをさらに備える、請求項１に記載の指向性噴流衝撃ピッグ発射システム。
【請求項７】
前記弁と連通している弁状態表示器をさらに備える、請求項６に記載の指向性噴流衝撃ピッグ発射システム。
【請求項８】
ピッグ・トラップであって、前記ピッグ・トラップは、
側壁開口部を含むバレルと、
指向性噴流衝撃ピッグ発射システムと、
を備え、
前記指向性噴流衝撃ピッグ発射システムは、
前記バレルに接続可能なキッカ管路と、
前記キッカ管路よりも直径が小さい長手方向に延在する管であって、前記長手方向に延在する管は、前記キッカ管路によって取り囲まれており、前記長手方向に延在する管は、前記入口端部に平坦な輪郭のフランジを含み、前記出口端部に湾曲した輪郭のフランジを含み、前記側壁開口部の曲率に適合しており、前記平坦な輪郭のフランジ及び前記湾曲した輪郭のフランジのそれぞれは、前記平坦な輪郭のフランジ及び前記湾曲した輪郭のフランジを貫通する漏れ経路を含む、長手方向に延在する管と、
前記長手方向に延在する管に接続されている少なくとも１つのノズルであって、前記少なくとも１つのノズルは、水平線に対して非垂直な角度αで配置され、且つ、前記ピッグ・トラップの閉鎖扉の方向とは反対の方向に前記側壁開口部を通して前記バレルの中へ流体の噴流を送達するように配向された、少なくとも１つのノズルと、
を含む、ピッグ・トラップ。
【請求項９】
弁を含む前記少なくとも１つのノズルと、
前記弁と連通している弁状態表示器と、
をさらに備える、請求項８に記載のピッグ・トラップ。
【請求項１０】
前記弁及び前記弁状態表示器と連通している、実行可能命令を含むコンピュータをさらに備える、請求項９に記載のピッグ・トラップ。
【請求項１１】
前記バレルが、前記バレルに沿って配置され且つ前記バレル内にあるときのピッグの軸方向位置を示すように構成された少なくとも１つの位置決めピンを含む、請求項８に記載のピッグ・トラップ。
【請求項１２】
前記少なくとも１つのノズルと連通しており、且つ、前記バレルの床の上方で前記バレルの下半分内に配置された、湾曲した流体分配格子であって、複数のポートを含む有孔基材を具備する、湾曲した流体分配格子をさらに備える、請求項８に記載のピッグ・トラップ。
【請求項１３】
パイプライン・システム内にピッグを発射する方法であって、前記方法は、
主パイプライン製品流の一部分をピッグ・トラップのバレルの側壁開口部に接続されたキッカ管路内に配置されたノズル内へ迂回させるステップであって、前記ノズルが、水平線に対して非垂直な角度αに配向されている、ステップと、
前記迂回された部分の一部を、前記ノズルを通じて前記ピッグの垂直要素の裏側に向かって、前記主パイプライン製品流の速度の少なくとも３０倍の速度で吐出するステップであって、前記吐出された部分が、前記垂直要素の前記裏側に衝突する、ステップと、
を含み、
前記ノズルは、前記キッカ管路に取り囲まれている長手方向に延在する管に接続されており、環状スペースが、前記キッカ管路と前記長手方向に延在する管との間に形成されており、
前記長手方向に延在する管は、フランジを有する入口端部と、フランジを有する出口端部と、前記入口端部と前記出口端部との間に配置された少なくとも１つの屈曲部とを含み、それぞれのフランジは、前記フランジを貫通して前記環状スペースに至る漏れ経路を含む、方法。
【請求項１４】
前記ピッグが前記バレル内で前進するにつれて、前記ピッグの少なくとも１つの他の従垂直要素に衝突する前記吐出された部分によって、前記バレルの中に前記ピッグを前方へさらに加速させるステップをさらに含む、請求項１３に記載の方法。
【請求項１５】
主パイプライン製品流の一部分が前記長手方向に延在する管の中へ流入することを可能にするステップと、主パイプライン製品流の一部分が前記漏れ経路の中へ流入し前記環状空間を満たすことを可能にすることによって、前記長手方向に延在する管の周りの圧力を上昇させるステップと、をさらに含む、請求項１３に記載の方法。
【請求項１６】
前記ノズルは、３０．５ｍｐｓ（１００ｆｐｓ）から３６６．０ｍｐｓ（１２００ｆｐｓ）の範囲にある進入速度で流体を送達する、請求項１３に記載の方法。
【請求項１７】
前記主パイプライン製品流は、２ｍｐｈ以下の速度になっている、請求項１６に記載の方法。
【請求項１８】
前記垂直要素の前記裏側に衝突する前記吐出された部分が、前記垂直要素の前記裏側に対して上昇したよどみ点圧力を作り出し、
前記上昇したよどみ点圧力は、前記ノズルを含まずに迂回された流れの一部を吐出する同じサイズのキッカ管路の発射力の少なくとも１０倍の発射力を作り出す、請求項１３に記載の方法。
【請求項１９】
前記発射力は、１５倍から１００倍の範囲にある、請求項１８に記載の方法。